(57)【特許請求の範囲】
【請求項１】
装置本体にセットされている光ディスクに記録されているタイトルのタイトル名を表示装置に一覧表示させるタイトルメニュー画像を出力する出力手段と、
前記出力手段が出力している前記タイトルメニュー画像において、タイトル名が表示されているタイトルの中から任意のタイトルを選択する選択手段と、
タイトルの再生が指示されたときに、この時点において前記選択手段が選択しているタイトルの再生を開始する再生手段と、を備えた光ディスク装置において、
光ディスク毎に、その光ディスクに記録されている各タイトルについて、再生済のタイトルであるかどうかを記憶するとともに、再生済でないタイトルについて再生履歴を記憶する記憶手段と、
タイトル毎に、再生された部分が予め定められた割合を超えたタイトルを再生済のタイトルであると判定する再生済判定手段と、を備え、
前記出力手段は、前記記憶手段の記憶内容に基づいて、装置本体にセットされている光ディスクに記録されている各タイトルを再生済のタイトルと、再生済でないタイトルと、に区別し、再生済のタイトルからなる第１のタイトルメニュー画像、または再生済でないタイトルからなり、タイトル毎に再生された部分の割合を示す画像を含ませた第２のタイトルメニュー画像を選択的に出力する手段であり、
また、前記記憶手段は、再生済判定手段により再生済になったと判定されたタイトルの再生履歴を削除する手段であり、
さらに、装置本体にセットされている光ディスクに、予め定められた期間内に記録されたタイトルであって、再生済でないタイトルがあるかどうかを判定する判定手段を備え、
前記出力手段は、前記判定手段により、予め定められた期間内に記録されたタイトルであって、再生済でないタイトルがあると判定された場合に、前記第２のタイトルメニュー画像を出力した後、所定の入力操作があったときに、前記第１のタイトルメニュー画像を出力し、反対に予め定められた期間内に記録されたタイトルであって、再生済でないタイトルがないと判定された場合に、前記第１のタイトルメニュー画像を出力した後、所定の入力操作があったときに、前記第２のタイトルメニュー画像を出力する手段である光ディスク装置。
【請求項２】
装置本体にセットされている光ディスクに記録されているタイトルのタイトル名を表示装置に一覧表示させるタイトルメニュー画像を出力する出力手段と、
前記出力手段が出力している前記タイトルメニュー画像において、タイトル名が表示されているタイトルの中から任意のタイトルを選択する選択手段と、
タイトルの再生が指示されたときに、この時点において前記選択手段が選択しているタイトルの再生を開始する再生手段と、を備えた光ディスク装置において、
光ディスク毎に、その光ディスクに記録されている各タイトルについて、再生済のタイトルであるかどうかを記憶するとともに、再生済でないタイトルについて再生履歴を記憶する記憶手段と、
タイトル毎に、再生された部分が予め定められた割合を超えたタイトルを再生済のタイトルであると判定する再生済判定手段と、を備え、
前記出力手段は、前記記憶手段の記憶内容に基づいて、装置本体にセットされている光ディスクに記録されている各タイトルを再生済のタイトルと、再生済でないタイトルと、に区別し、所定の入力操作があったときに、再生済のタイトルからなる第１のタイトルメニュー画像、または再生済でないタイトルからなる第２のタイトルメニュー画像を選択的に出力する手段であり、
また、前記記憶手段は、再生済判定手段により再生済になったと判定されたタイトルの再生履歴を削除する手段である、光ディスク装置。
【請求項３】
装置本体にセットされている光ディスクに、予め定められた期間内に記録されたタイトルであって、再生済でないタイトルがあるかどうかを判定する判定手段を備え、
前記出力手段は、前記判定手段により、予め定められた期間内に記録されたタイトルであって、再生済でないタイトルがあると判定された場合に、前記第２のタイトルメニュー画像を出力し、その後、所定の入力操作があったときに、前記第１のタイトルメニュー画像を出力する手段である請求項２に記載の光ディスク装置。
【請求項４】
前記出力手段は、前記判定手段により、予め定められた期間内に記録されたタイトルであって、再生済でないタイトルがないと判定された場合に、前記第１のタイトルメニュー画像を出力し、その後、所定の入力操作があったときに、前記第２のタイトルメニュー画像を出力する手段である請求項３に記載の光ディスク装置。
【請求項５】
前記出力手段は、タイトル毎に再生された部分の割合を示す画像を含ませた前記第２のタイトルメニュー画像を出力する手段である請求項２〜４のいずれかに記載の光ディスク装置。
【発明の詳細な説明】
【技術分野】
【０００１】
この発明は、ＤＶＤ等の光ディスクに記録されているタイトル（番組）を再生する光ディスク装置に関する。
【背景技術】
【０００２】
従来、ＤＶＤ等の光ディスクに記録されているタイトル（番組）のデータを読み取り、再生する光ディスク装置が広く一般に普及している。一般的な光ディスク装置は、本体にセットされている光ディスクに記録されているタイトル毎にタイトル名や記録日時等を一覧で表示させるタイトルメニュー画像を出力し、再生するタイトルをユーザに選択させる機能を有している。このタイトルメニュー画像は、装置本体に接続されている表示装置において表示される。ユーザは、このタイトルメニュー画像において表示されているタイトル名、録画日時等を確認し、再生するタイトルを選択する。言い換えれば、タイトルメニュー画像は、ユーザに対して、装置本体にセットされているＤＶＤに記録されているタイトルを確認させ、再生するタイトルを選択させる入力操作を援助するものとして利用されている。
【０００３】
また、ＤＶＤ等の記録メディアに記録されているタイトル毎に、そのタイトルの記録時間と、この記録メディアにおける残りの記録可能時間と、を示す画像を表示することで、記録されている各タイトルの記録時間や、この記録メディアにおける残りの記録時間をユーザに簡単に確認させる装置もが提案されている（特許文献１参照）。
【特許文献１】特開２００２−２３８０２５号公報
【発明の開示】
【発明が解決しようとする課題】
【０００４】
しかしながら、従来の光ディスク装置は、タイトルメニュー画像において、再生（視聴）したことがないタイトルであるかどうか、再生したことがあるタイトルであれば略全部を再生したのか、反対に一部分を再生しただけで再生していない部分（未再生の部分）が比較的多いタイトルであるのか、ということをユーザに確認させることができなかった。このため、ユーザは、再生したことがあるタイトルであるかどうか等を、タイトル名等から自分の記憶で判断しなければならず、未再生のタイトルをすでに再生したことがあると判断したり、反対にすでに再生したことがあるタイトルを未再生であると判断することがあった。また、ユーザは、再生したことがあるかどうかの記憶が曖昧であるタイトルについては、上記の判断を行うために、そのタイトルをとりあえず再生し、内容を確認しなければならなかった。このように、従来の光ディスク装置は、タイトルメニュー画像による情報提示が十分に行えていなかった。このため、再生するタイトルの選択にかかる操作が煩雑になり、操作性が良くないという問題があった。
【０００５】
この発明の目的は、タイトルメニュー画像において再生するタイトルを選択するユーザの操作を十分に援助することができ、操作性を向上させた光ディスク装置を提供することにある。
【課題を解決するための手段】
【０００６】
この発明の光ディスク装置は、上述した課題を解決するために、以下の構成を備えている。
【０００７】
（１）装置本体にセットされている光ディスクに記録されているタイトルのタイトル名を表示装置に一覧表示させるタイトルメニュー画像を出力する出力手段と、
前記出力手段が出力している前記タイトルメニュー画像において、タイトル名が表示されているタイトルの中から任意のタイトルを選択する選択手段と、
タイトルの再生が指示されたときに、この時点において前記選択手段が選択しているタイトルの再生を開始する再生手段と、を備えた光ディスク装置において、
光ディスク毎に、その光ディスクに記録されている各タイトルについて、再生済のタイトルであるかどうかを記憶する記憶手段を備え、
前記出力手段は、前記記憶手段の記憶内容に基づいて、装置本体にセットされている光ディスクに記録されている各タイトルを再生済のタイトルと、再生済でないタイトルと、に区別し、所定の入力操作があったときに、再生済のタイトルからなる第１のタイトルメニュー画像、または再生済でないタイトルからなる第２のタイトルメニュー画像を選択的に出力する手段である。
【０００８】
この構成では、記憶手段が光ディスク毎に、その光ディスクに記録されている各タイトルについて、再生済のタイトルであるかどうかを記憶し、この記憶手段の記憶内容に基づいて、出力手段が装置本体にセットされている光ディスクに記録されている再生済のタイトルの一覧、または再生済でないタイトル（未再生のタイトル）の一覧を選択的に出力する。すなわち、再生済のタイトルと、未再生のタイトルと、を区別してユーザに提示することができる。これにより、ユーザは、未再生のタイトルの有無や、どのタイトルが未再生であるのかを簡単に確認することができる。したがって、再生するタイトルを選択するユーザの操作を十分に援助することができ、その結果、再生するタイトルを選択する際の操作性の向上が図れる。
【０００９】
（２）タイトル毎に、再生された部分が予め定められた割合を超えたタイトルを再生済のタイトルであると判定する再生済判定手段を備え、
前記記憶手段は、再生済でないタイトルについて再生履歴を記憶し、このタイトルが前記再生済判定手段により再生済になったと判定されたときに、このタイトルの再生履歴を削除する手段である。
【００１０】
この構成では、再生済でないタイトルについては、記憶手段が過去の再生履歴を記憶するので、未再生のタイトルについて、再生された部分（再生部分）と、再生されていない部分（未再生部分）を正確に管理することができる。また、再生済となったタイトルについては、過去の再生履歴を記憶手段が削除するので、必要となる記憶手段の記憶容量が抑えられる。
【００１１】
（３）装置本体にセットされている光ディスクに、予め定められた期間内に記録されたタイトルであって、再生済でないタイトルがあるかどうかを判定する判定手段を備え、
前記出力手段は、前記判定手段により、予め定められた期間内に記録されたタイトルであって、再生済でないタイトルがあると判定された場合に、前記第２のタイトルメニュー画像を出力し、その後、所定の入力操作があったときに、前記第１のタイトルメニュー画像を出力する手段である。
【００１２】
この構成では、光ディスクに最近記録された未再生のタイトル、例えば最近１週間の間に記録された未再生のタイトル、があれば、第２のタイトルメニュー画像を出力するので、ユーザに対して最近記録された未再生のタイトルがあることを、速やかに知らせることができる。また、多くのユーザは、光ディスクに最近記録したタイトルを再生し、視聴することから、ユーザの使い勝手も向上される。
【００１３】
（４）前記出力手段は、前記判定手段により、予め定められた期間内に記録されたタイトルであって、再生済でないタイトルがないと判定された場合に、前記第１のタイトルメニュー画像を出力し、その後、所定の入力操作があったときに、前記第２のタイトルメニュー画像を出力する手段である。
【００１４】
この構成では、光ディスクに記録されているが、いつまでも再生されないタイトル、すなわちユーザの好みに合わないタイトル、があるときには、第１のタイトルメニュー画像を出力する。
【００１５】
（５）前記出力手段は、タイトル毎に再生された部分の割合を示す画像を含ませた前記第２のタイトルメニュー画像を出力する手段である。
【００１６】
この構成では、未再生のタイトル毎に、過去にどの程度再生したのか簡単に確認できる。
【発明の効果】
【００１７】
この発明によれば、再生済のタイトルと、未再生のタイトルと、を区別してユーザに提示することができる。これにより、ユーザは、未再生のタイトルの有無や、どのタイトルが未再生であるかを簡単に確認することができる。したがって、タイトルメニュー画像による十分な情報の提示が行え、再生するタイトルを選択する際のユーザの操作性の向上が図れる。
【発明を実施するための最良の形態】
【００１８】
以下、この発明の実施形態であるＤＶＤ装置について説明する。
【００１９】
図１は、この発明の実施形態であるＤＶＤ装置の主要部の構成を示すブロック図である。この実施形態のＤＶＤ装置１は、装置本体の動作を制御する制御部２と、装置本体にセットされているＤＶＤ１０に記録するタイトル（番組）が入力される入力部３と、入力部３に入力されたタイトルについてＤＶＤ１０に記録する記録データを生成する記録信号処理部４と、記録信号処理部４が生成した記録データをＤＶＤ１０に記録する処理やＤＶＤ１０に記録されているタイトルの記録データを読み取る記録／読取部５と、記録／読取部５がＤＶＤ１０から読み取ったタイトルの記録データを処理する読取信号処理部６と、読取信号処理部６で処理された記録データに基づく再生信号を出力する出力部７と、ＤＶＤ１０毎に再生履歴を記憶する記憶部８と、装置本体に対する入力操作を受け付ける操作部９と、を備えている。この実施形態のＤＶＤ装置１は、ＤＶＤ１０に対するタイトルの記録（録画）、およびＤＶＤ１０に記録されているタイトルの再生が行える。制御部２は、現在の日付を管理するカレンダ機能や、現在の時刻を管理する時計機能、さらには後述するタイトルメニュー画像を生成するタイトルメニュー画像生成機能を有している。このタイトルメニュー画像生成機能は、所謂ＯＳＤ画像を生成する機能である。
【００２０】
入力部３には、図示していないアンテナで受信されたテレビ放送信号が入力される。入力部３は、入力されているテレビ放送信号から選択されているチャンネルのテレビ放送信号を抽出するチューナを有している。入力部３は、チューナで抽出したテレビ放送信号を記録信号処理部４に入力する。すなわち、入力部３は、選択されているチャンネルで放送されているタイトルの信号を記録信号処理部４に入力する。また、入力部３には、接続されている他の機器からＤＶＤ１０に記録するタイトル信号が入力される場合もある。入力部３は、接続されている他の機器から入力されたタイトルの信号も記録信号処理部４に入力する。記録信号処理部４は、入力部３から入力されたタイトルの信号がアナログ信号であれば、これをディジタル信号に変換する。記録信号処理部４は、入力されたタイトルの信号から、このタイトルの映像データ、および音声データを取得し、ここで取得した映像データ、および音声データをエンコードし、エンコードした映像データ、および音声データを所定の単位でパケット化して多重化したシステムストリームを生成する。記録信号処理部４は、このシステムストリームをＤＶＤ１０に記録する記録データとして記録／読取部５に入力する。
【００２１】
記録／読取部５は、ＤＶＤ１０にレーザ光を照射し、その反射光を検出するピックアップヘッド（不図示）や、ＤＶ１０に照射しているレーザ光の照射位置を制御するフォーカスサーボ制御やトラッキングサーボ制御等を行うサーボ制御部（不図示）等を有している。また、記録／読取部５は、ＤＶＤ１０に照射するレーザ光を、このＤＶＤ１０に記録する記録データに基づいて変調する記録制御を行う。さらに、記録／読取部５は、ＤＶＤ１０に記録されているタイトルの記録データを読み取った読取信号、所謂ＲＦ信号、を読取信号処理部６に入力する。読取信号処理部６は、入力された読取信号を処理してシステムストリームを取得し、このシステムストリームから映像データ、および音声データを分離して抽出する。また、読取信号処理部６は、ここで抽出した映像データ、および音声データをデコードし、デコードした映像データ、および音声データを出力部７に入力する。出力部７には、映像を表示する表示装置１１や、音声を放出するスピーカ１２が接続されている。出力部７は、読取信号処理部６から入力された映像データに基づく再生映像信号と、音声データに基づく再生音声信号と、を同期させて出力する。再生映像信号は、表示装置１１に入力される。表示装置１１は、入力された再生映像信号に基づく映像を表示する。また、スピーカ１２は、入力された再生音声信号に基づく音声を放出する。また、出力部は、制御部２において生成されたタイトルメニュー画像を出力する機能も有している。
【００２２】
なお、出力部７には、再生映像信号、および再生音声信号をアナログ信号で出力するアナログ出力端子と、再生映像信号、および再生音声信号をディジタル信号で出力するディジタル出力端子と、を有している。
【００２３】
記憶部８は、記憶媒体であるハードディスク８ａ（ＨＤ８ａ）や、このハードディスクに対するデータの記録や、データの読取を行うハードディスクドライブ８ｂ（ＨＤＤ８ｂ）を有している。記憶部８が有するハードディスク８ａには、ＤＶＤ１０毎に、そのＤＶＤに記録されているタイトルの管理情報、および再生履歴情報を記憶するタイトル情報記憶エリアが設けられている（図２参照）。この管理情報は、タイトル名、記録日時、およびそのタイトルが殆ど再生されたタイトル（再生済のタイトル）であるかどうかを示す再生済フラグで構成されている。また、再生履歴情報は、未再生のタイトルについてのみ記憶している。言い換えれば、再生済のタイトルについては、再生履歴情報を記憶していない。再生履歴情報は、タイトルが再生される毎に、そのタイトルの再生された部分を示す情報を再生情報として生成し、これを蓄積的に記憶したものである。ここで言う再生済のタイトルとは、対応する再生済フラグが１であるタイトルであり、未再生のタイトルとは、対応する再生済フラグが０であるタイトルである。ＤＶＤ装置１は、後述するように、ＤＶＤ１０に記録されているタイトルをタイトル情報記憶エリアに登録したとき、このタイトルの再生済フラグを「０」に設定し、このタイトルの全体の８５％以上の部分が再生されたと判定したときに「１」に設定する。また、ＤＶＤ装置１は、再生済フラグを「１」に設定したとき、そのタイトルに対応する再生履歴情報を削除する。これらの処理の詳細については後述する。
【００２４】
操作部９は、複数の操作キーや、図示していないリモコン装置から送信されてきた装置本体に対する制御コードを受信するリモコン受信部を有している。操作部９は、ユーザにより操作された操作キーに応じたコードや、リモコン受信部で受信した制御コードを制御部２に通知する。
【００２５】
以下、この実施形態のＤＶＤ装置１の動作について説明する。この実施形態のＤＶＤ装置１は、本体にセットされているＤＶＤ１０にタイトルを記録することができる。このＤＶＤ１０へのタイトルの記録については、公知のＤＶＤ装置と略同様であるので、ここでは簡単に説明する。ＤＶＤ装置１は、ＤＶＤ１０へのタイトルの記録開始にかかる入力があったときや、録画予約されているタイトルの録画開始時刻になると、ＤＶＤ１０へのタイトルの記録を開始する。ＤＶＤ１０に記録するタイトルのデータは、入力部３に入力される。記録信号処理部４が、ＤＶＤ１０に記録するタイトルの映像データ、および音声データをエンコードするとともに、エンコードした映像データ、および音声データをパケット化し、これらを多重化したシステムストリームを生成する。記録／読取部５は、記録信号処理部４で生成されたシステムストリームに基づいて、ピックアップヘッドがＤＶＤ１０に照射するレーザ光のパルス変調や、レーザパワー等を制御する。また、今回記録したタイトルのタイトル名、記録日時、記録開始位置、記録終了位置等の情報をＤＶＤ１０の記録管理領域（ＲＭＡ）に記録する。
【００２６】
次に、ＤＶＤ１０に記録されているタイトルの再生について説明する。図３は、この実施形態のＤＶＤ装置における再生動作を示すフローチャートである。ＤＶＤ装置１は、装置本体にセットされているＤＶＤ１０に記録されているタイトルの中から再生するタイトルの選択を受け付ける選択受付処理を行う（ｓ１）。
【００２７】
図４は、ｓ１にかかる選択受付処理を示すフローチャートである。ＤＶＤ装置１は、装置本体にセットされているＤＶＤ１０の所定の記録領域に記録されている識別番号を取得する（ｓ１１）。この実施形態のＤＶＤ装置１は、本体にＤＶＤ１０がセットされたときに、このＤＶＤ１０の所定の記録領域に識別番号が記録されているかどうかを検知し、記録されていなければ、このＤＶＤ１０の所定の記録領域に識別番号を記録している。この処理は、上述したタイトルをＤＶＤ１０に記録するときに行われている。このときに、ＤＶＤ装置１がＤＶＤ１０に付与する識別番号は、シリアル番号である。具体的には、ＤＶＤ装置１は、所定の記録領域に識別番号が記録されていないＤＶＤ１０に対して、記憶部８のハードディスク８ａのタイトル情報記憶エリアに記憶しているＤＶＤ１０の識別番号の最大値に１を加算した識別番号を付与する。また、このとき付与した識別番号のＤＶＤ１０をタイトル情報記憶エリアに記憶する。
【００２８】
ＤＶＤ装置１は、ｓ１１でＤＶＤ１０から識別番号が取得できたかどうかを判定する（ｓ１２）。具体的には、ＤＶＤ１０の所定の記録領域から、識別番号が読み取れたかどうかを判定する。ＤＶＤ装置１は、ｓ１２で識別番号が取得できたと判定すると、このＤＶＤ１０に記録されているタイトル毎に、そのタイトル名、および記録日時等の情報をＤＶＤ１０の記録管理領域またはリードイン領域から読み取り、取得する（ｓ１３）。また、ＤＶＤ装置１は、ｓ１１で取得した識別番号をキーにして、記憶部８のハードディスク８ａのタイトル情報記憶エリアを検索し、該当する識別番号のＤＶＤ１０についての管理情報を読み取る（ｓ１４）。ＤＶＤ装置１は、ｓ１３で読み取ったＤＶＤ１０に記録されているタイトルと、ｓ１４でハードディスク８ａのタイトル情報記憶エリアから読み取った管理情報に含まれているタイトルと、が完全に一致しているかどうかを判定する（ｓ１５）。ｓ１５では、前回の再生から今回の再生までの間に、このＤＶＤ１０に新たなタイトルが記録がされていないか、およびＤＶＤ１０に記録されていたタイトルが消去されていないかを判定している。
【００２９】
ＤＶＤ装置１は、ｓ１５でタイトルが完全に一致していないと判定すると、ハードディスク８ａのタイトル情報記憶エリアにおける該当するＤＶＤ１０の管理情報を更新する（ｓ１６）。具体的には、ＤＶＤ１０に新たなタイトルが記録されていた場合には、このタイトルのタイトル名、記録日時、再生済フラグを、ハードディスク８ａのタイトル情報記憶エリアに記憶している該当するＤＶＤ１０の管理情報に追加する。このとき、タイトル名、記録日時については、ｓ１３で取得したタイトル名、記録日時を設定し、再生済フラグについては、未再生を示す「０」を設定する。この時点では、今回追加されたタイトルに対応する再生履歴情報は存在しない。また、ＤＶＤ１０に記録されていたタイトルが消去されていた場合には、ハードディスク８ａのタイトル情報記憶エリアに記憶している該当するＤＶＤ１０の情報から消去されているタイトルにかかる管理情報、および再生履歴情報を削除する。
【００３０】
ＤＶＤ装置１は、ｓ１５で一致していると判定した場合、またはｓ１６にかかる処理を行った後に、出力部７からタイトルメニュー画像を生成し、出力するタイトルメニュー画像出力処理を行う（ｓ１７）。ここで実行されるタイトルメニュー画像出力処理は、この時点においてハードディスク８ａのタイトル情報記憶エリアに記憶している管理情報、および再生履歴情報に基づいて行われる。すなわち、ＤＶＤ装置１は、上述したｓ１６にかかる処理を行った場合には、ｓ１６にかかる処理で更新された管理情報、および再生履歴情報に基づいてタイトルメニュー画像を生成し、出力する。
【００３１】
図５は、ｓ１７にかかるタイトルメニュー画像出力処理を示すフローチャートである。ＤＶＤ装置１は、本体にセットされているＤＶＤ１０に記録されているタイトルの中に、未再生のタイトルがあるかどうかを判定する（ｓ３１）。ｓ３１にかかる判定は、ハードディスク８ａのタイトル情報記憶エリアに記憶している管理情報の再生済フラグに基づいて行われる。ＤＶＤ装置１は、ｓ３１で未再生のタイトルがあると判定すると、未再生のタイトルの中に予め定められた期間内（ここでは最近１週間とする。）にＤＶＤ１０に記録されたタイトルがあるかどうかを判定する（ｓ３２）。ｓ３２にかかる判定は、ハードディスク８ａのタイトル情報記憶エリアに記憶している管理情報の記録日時に基づいて行われる。ＤＶＤ装置１は、ｓ３１、およびｓ３２にかかる処理を行うことにより、最近１週間の間に記録され、再生されていないタイトルがあるかどうかを判定している。
【００３２】
ＤＶＤ装置１は、上述のｓ３１、およびｓ３２にかかる処理で、装置本体にセットされているＤＶＤ１０において、最近１週間の間に記録され、再生されていないタイトルがあると判定すると、装置本体にセットされているＤＶＤ１０に記録されている未再生のタイトル、すなわち再生済フラグが「０」であるタイトル、を抽出し、ここで抽出した未再生のタイトルを一覧で示す未再生タイトルメニュー画像（この発明で言う、第２のタイトルメニュー画像）を生成し（ｓ３３）、この未再生タイトルメニュー画像を出力部７から出力する（ｓ３４）。これにより、出力部７に接続されている表示装置１１において、この未再生タイトルメニュー画像が表示される。ｓ３３で生成される未再生タイトルメニュー画像には、未再生のタイトル毎に、再生された部分の割合を示す棒グラフが含れている。
【００３３】
図６は、表示装置において表示される未再生タイトルメニュー画像を示す図である。図６に示すように、未再生のタイトル毎に、そのタイトル名、記録日時、これまでの再生時間、そのタイトルにおける再生された部分の割合を示す棒グラフが表示装置１１において表示される。ここで言う再生時間は、そのタイトルの長さを示すものである。また、各未再生タイトルの再生された部分の割合は、再生履歴情報から算出されている。例えば、過去に一度も再生されていないタイトル（すなわち、再生履歴情報が無い未再生のタイトル）については、再生された部分の割合が０と算出される。また、過去に部分的に再生された未再生のタイトル（すなわち、再生履歴情報がある未再生のタイトル）については、対応する各再生履歴情報から再生された部分を抽出し、再生された部分の総時間を算出する。このとき、２回以上再生されている部分があれば、この部分については再生時間をダブらせることなく、再生された部分の総時間を算出している。例えば前々回の再生履歴情報からタイトルの先頭から１０分の所まで再生され、前回の再生履歴情報からタイトルの先頭から５分の所から、１５分の所まで再生されているタイトルは、再生時間を２０分と算出するのではなく、１５分と算出する。
【００３４】
一方、ＤＶＤ装置１は、ｓ３１、およびｓ３２にかかる処理で、最近１週間の間に記録され、再生されていないタイトルがないと判定すると、装置本体にセットされているＤＶＤ１０に記録されている再生済のタイトル、すなわち再生済フラグが「１」であるタイトル、を抽出し、ここで抽出した再生済のタイトルを一覧で示す再生済タイトルメニュー画像（この発明で言う、第１のタイトルメニュー画像）を生成し（ｓ３５）、この再生済タイトルメニュー画像を出力部７から出力する（ｓ３６）。これにより、出力部７に接続されている表示装置１１において、この再生済タイトルメニュー画像が表示される。ｓ３５で生成される再生済タイトルメニュー画像には、上述した未再生タイトルメニュー画像に含まれていた再生された部分の割合を示す棒グラフが含まれていない。図７は、表示装置において表示される再生済タイトルメニュー画像を示す図である。図７に示すように、再生済のタイトル毎に、そのタイトル名、記録日時、および再生時間が表示装置１１において表示される。
【００３５】
ＤＶＤ装置１は、出力部７から未再生タイトルメニュー画像を出力している状態で、操作部９においてタイトルメニュー画像の切換にかかる入力（この発明で言う所定の入力）があると（ｓ３７）、ｓ３５、ｓ３６の処理を行い、出力部７から再生済タイトルメニュー画像を出力する。反対に、出力部７から再生済タイトルメニュー画像を出力している状態で、操作部９においてタイトルメニュー画像の切換にかかる入力（この発明で言う所定の入力）があると（ｓ３９）、ｓ３３、ｓ３４の処理を行い、出力部７から未再生タイトルメニュー画像を出力する。すなわち、ユーザは、操作部９においてタイトルメニュー画像の切換にかかる入力操作を行うことで、未再生タイトルメニュー画像、または再生済メニュー画像の一方を表示装置１１に表示させ、その内容を確認することができる。
【００３６】
このように、この実施形態のＤＶＤ装置１は、装置本体にセットされているＤＶＤ１０に記録されているタイトルについて、未再生のタイトルからなる未再生タイトルメニュー画像、または再生済のタイトルからなる再生済タイトルメニュー画像を選択的に出力するので、装置本体にセットされているＤＶＤ１０に記録されているタイトルの中のどのタイトルが未再生であるかをユーザに簡単に確認させることができる。また、表示装置１１において表示されているタイトルメニュー画像（未再生タイトルメニュー画像、または再生済タイトルメニュー画像）の切り換えが、操作部９において所定の入力操作を行うことにより行える。したがって、ユーザは、表示装置１１において未再生タイトルメニュー画像が表示されているときであっても、簡単な操作で再生済タイトルメニュー画像を表示装置１１に表示させ、再生済のタイトルを確認することができる。同様に、表示装置１１において再生済タイトルメニュー画像が表示されているときであっても、簡単な操作で未再生タイトルメニュー画像を表示装置１１に表示させ、未再生のタイトルを確認することができる。
【００３７】
また、未再生のタイトルについては、未再生タイトルメニュー画像において、そのタイトルにおける再生した部分の割合を示す棒グラフが表示される。したがって、未再生のタイトルについては、過去にどの程度再生したのかをユーザに簡単に確認させることができる。
【００３８】
ＤＶＤ装置１は、ｓ３７、またはｓ３９でタイトルメニュー画像の切換にかかる入力が行われることなく、再生するタイトルを指定する入力があると（ｓ３８、ｓ４０）、本処理を終了する。再生するタイトルを指定する入力は、表示装置１１において表示されているタイトルメニュー画像（再生済タイトルメニュー画像、または未再生タイトルメニュー画像）で示されているタイトルの中から任意のタイトルを選択する操作、および選択しているタイトルの再生を指示する操作で行える。タイトルの選択は、操作部９やリモコン装置に設けられたカーソルキーの操作で行え、タイトルの再生を指示する操作は、操作部９やリモコン装置に設けられた再生キーの操作で行える。
【００３９】
ＤＶＤ装置１は、ｓ１７にかかるタイトルメニュー画像出力処理（上述した図５に示す処理）が完了すると、ｓ２に進んで、今回指定されたタイトルの再生を開始する。また、ＤＶＤ装置１は、ｓ１２でＤＶＤ１０の識別番号が取得できなかったと判定すると、ＤＶＤ１０に記録されているタイトル毎に、そのタイトル名、および記録日時等の情報をＤＶＤ１０の記録管理領域またはリードイン領域から読み取り、取得する（ｓ１８）。ｓ１８にかかる処理は、上述したｓ１３と同じ処理である。ＤＶＤ装置１は、ｓ１８でＤＶＤ１０から取得した情報に基づくタイトルメニュー画像を生成し（ｓ１９）、このタイトルメニュー画像を出力する（ｓ２０）。ｓ１９で生成されるタイトルメニュー画像は、再生済のタイトルと、未再生のタイトルと、を区別したものではない。ＤＶＤ装置１は、再生するタイトルを指定する入力があると（ｓ２１）、ｓ２に進んで、今回指定されたタイトルの再生を開始する。ｓ２１で再生するタイトルを指定する入力は、表示装置１１において表示されているタイトルメニュー画像で示されているタイトルの中から任意のタイトルを選択する操作、および選択されているタイトルの再生を指示する操作で行える。これらの操作は、上述したように、操作部９やリモコン装置に設けられたカーソルキーの操作や、再生キーの操作で行える。
【００４０】
ＤＶＤ装置１は、ｓ２でタイトルの再生を開始すると、このタイトルの再生を終了するタイミングになるのを待つ（ｓ３）。ｓ３では、ユーザがタイトルの再生停止の入力操作を行うか、再生しているタイトルの再生が完了するタイミングを待っている。ＤＶＤ装置１は、ｓ３で再生終了タイミングになったと判断すると、タイトルの再生を停止し（ｓ４）、今回再生したタイトルが未再生のタイトルであったかどうかを判定する（ｓ５）。ｓ５では、今回の再生を開始する前の状態が未再生であったかどうかを判定している。
【００４１】
ＤＶＤ装置１は、ｓ５で再生済のタイトルであったと判定すると、本処理を終了する。一方、ｓ５で未再生のタイトルであったと判定すると、今回再生したタイトルについて、今回の再生部分、例えば先頭から１０分まで、先頭から最後まで、を示す再生情報を生成する（ｓ６）。そして、ＤＶＤ装置１は、今回再生したタイトルについて、今回の再生により未再生の状態から再生済の状態に移行させるかどうかを判定する（ｓ７）。このｓ７にかかる処理が、この発明で言う判定手段に相当する。ｓ７では、今回再生したタイトルについて、ハードディスク８ａのタイトル情報記憶エリアに記憶している再生履歴情報、およびｓ６で生成した再生履歴情報を用いて、再生された部分の割合が全体の８５％以上であるかどうかを判定し、８５％以上であれば再生済の状態に移行させると判定する。ＤＶＤ装置１は、ｓ７で再生済状態に移行させないと判定すると、ｓ６で生成した再生履歴情報を、ハードディスク８ａのタイトル情報記憶エリアに記憶している対応するタイトルの再生履歴情報に追加し（ｓ８）、本処理を終了する。一方、ｓ７で再生済状態に移行させると判定すると、ハードディスク８ａのタイトル情報記憶エリアに記憶している対応するタイトルの再生履歴情報を削除するとともに、再生済フラグを「０」から「１」に更新し（ｓ９）、本処理を終了する。
【００４２】
このように、この実施形態のＤＶＤ装置１は、ＤＶＤ１０に記録されているタイトルの状態を未再生から再生済に移行させるときに、ハードディスク８ａのタイトル情報記憶エリアに記憶している再生履歴情報を削除する。したがって、再生済のタイトルについて、いつまでも再生履歴情報がハードディスク８ａのタイトル情報記憶エリアに記憶されつづけることがないので、ハードディスク８ａのタイトル情報記憶エリアの記憶容量が抑えられる。
【図面の簡単な説明】
【００４３】
【図１】この発明の実施形態であるＤＶＤ装置の主要部の構成を示すブロック図である。
【図２】この発明の実施形態であるＤＶＤ装置が再生履歴情報記憶エリアに記憶している再生履歴情報を示す図である。
【図３】この実施形態のＤＶＤ装置における再生動作を示すフローチャートである。
【図４】この実施形態のＤＶＤ装置における選択受付処理を示すフローチャートである。
【図５】この実施形態のＤＶＤ装置におけるタイトルメニュー画像出力処理を示すフローチャートである。
【図６】この実施形態のＤＶＤ装置が出力する未再生タイトルメニュー画像を示す図である。
【図７】この実施形態のＤＶＤ装置が出力する再生済タイトルメニュー画像を示す図である。
【符号の説明】
【００４４】
１−ＤＶＤ装置
２−制御部
３−入力部
４−記録信号処理部
５−記録／読取部
６−読取信号処理部
７−出力部
８−記憶部
８ａ−ハードディスク（ＨＤ）
８ｂ−ハードディスクドライブ（ＨＤＤ）
９−操作部
１０−ＤＶＤ
１１−表示装置
１２−スピーカ
【図１】
0004752502.tif 000002
【図２】
0004752502.tif 000003
【図３】
0004752502.tif 000004
【図４】
0004752502.tif 000005
【図５】
0004752502.tif 000006
【図６】
0004752502.tif 000007
【図７】
0004752502.tif 000008